(57)【要約】【課題】空気調和機の室内機と室外機との通信の高速化と通信による放射ノイズの抑制化を図ること。【解決手段】室内送風機１９、制御系手段（マイコン７、復調回路９、変調用ドライバ１２を含む）、温度検出手段１８、を有する室内機１と、室外送風機３５、冷媒圧縮機３６、制御系手段、温度検出手段２１、を有する室外機２と、を具備するセパレートタイプの空気調和機であって、室内機と室外機の間にＡＣ電源を供給する２本の接続ケーブル３，４と通信用の１本の通信ケーブル５を設け、１つの接続ケーブル４と通信ケーブル５とに一次側巻き線の両端を接続した高周波トランス１４，２５を室内機１と室外機２にそれぞれ設け、高周波トランスの一次側巻き線に並列にコンデンサ１５，２７を接続して並列共振回路を形成し、通信ケーブル５に流れる交番信号を正弦波に近い正弦波状波形とする。【選択図】        図１
2004347261.tif 000002
【特許請求の範囲】
【請求項１】
ＡＣ電源端子、室内送風機、マイコンを含む制御系手段、温度検出手段、ＡＣ−ＤＣコンバータ、を有する室内機と、室外送風機、冷媒圧縮機、マイコンを含む制御系手段、温度検出手段、ＡＣ−ＤＣコンバータ、を有する室外機と、を具備するセパレートタイプの空気調和機であって、
前記室内機と前記室外機の間に、前記ＡＣ電源を供給する２本の接続ケーブルと通信用の１本の通信ケーブルを設け、
前記２本の接続ケーブルの内の１つの接続ケーブルと前記通信ケーブルとに一次側巻き線の両端を接続した高周波トランスを前記室内機と前記室外機にそれぞれ設ける
ことを特徴とする空気調和機の通信制御装置。
【請求項２】
請求項１において、
前記高周波トランスの前記ＡＣ電源側に接続された一次側電位と前記制御系手段側に接続された二次側電位とを絶縁させたことを特徴とする空気調和機の通信制御装置。
【請求項３】
請求項１において、
前記高周波トランスの一次側巻き線に並列にコンデンサを接続して並列共振回路を形成し、前記通信ケーブルに流れる交番信号を正弦波に近い正弦波状波形とする
ことを特徴とする空気調和機の通信制御装置。
【請求項４】
請求項１、２又は３において、
前記室内機及び前記室外機の双方又はどちらか一方の高周波トランスの一次側巻き線と前記通信ケーブルとの間に抵抗器を接続して高周波リンギングを減衰させることを特徴とする空気調和機の通信制御装置。
【請求項５】
請求項１、２又は３において、
前記高周波トランスの一次側巻き線と前記通信ケーブルとの間に前記ＡＣ電源の電圧に耐えるコンデンサを接続する
ことを特徴とする空気調和機の通信装置。
【請求項６】
請求項１、２又は３において、
前記接続ケーブルと前記通信ケーブルとの間にバリスタを接続することを特徴とする空気調和機の通信制御装置。
【請求項７】
請求項１、２又は３において、
前記高周波トランスの一次側巻き線の巻数Ｎ１と二次側巻き線の巻数Ｎ２をＮ１＜Ｎ２の関係とすることを特徴とする空気調和機の通信制御装置。
【請求項８】
請求項３において、
前記高周波トランスの二次側巻き線側を前記制御系手段に接続し、
前記制御系手段からの信号を前記並列共振回路によって前記正弦波状波形に変換し前記通信ケーブルを通して前記室内機から前記室外機へ運転指令として送信し、
前記室外機は、前記室外機の運転情報と前記室外機の温度検出手段からの情報と前記室外機の故障情報とを含む室外機情報を送信し、
前記室内機は、前記室外機から前記室外機情報を受信し、使用者の操作情報と前記室内機の温度検出手段からの情報を用いて運転状態を決定する
ことを特徴とする空気調和機の通信制御装置。
【発明の詳細な説明】
【０００１】
【発明の属する技術分野】
本発明は、セパレートタイプの空気調和機における室内機と室外機間で行われる双方向シリアル通信制御装置の技術に関する。
【０００２】
【従来の技術】
空気調和機の一般的な従来技術として、室内機と室外機に分かれたセパレートタイプのユニットにおいては、マイコンにより制御された制御回路をそれぞれに具備し、室内機はリモコンなどによる使用者の運転、停止要求及び設定温度変更等の指令を受信し、室内送風機などの運転状態を決定する外に、室内の温度条件を検知するサーミスタなどの温度センサーを使用した温度検出回路等からの情報を用いて、冷媒圧縮用圧縮機電動機の回転数指令及び室外送風機への運転要求などの運転指令を室外機に転送する必要がある。
【０００３】
また、室外機は外気温や冷凍サイクルなどの室外の温度情報、及び冷媒圧縮用圧縮機の運転状態、更には故障情報など室外機の情報を室内機に転送する必要があるので、室内機、室外機間のシリアル通信は不可欠である。
【０００４】
室内機と室外機間のシリアル通信における従来技術として、整流回路やフォトカプラを備えた通信制御装置が提案されている（例えば、特許文献１や特許文献２を参照）。これらの特許文献によると、商用電源を用いて、ダイオードと平滑用のコンデンサと抵抗器とからなる半波整流回路をシリアル通信専用の電源とし、更に、送信信号の通電タイミングを制御するフォトカプラと、受信のためのフォトカプラと、複数の抵抗器と半導体素子とを用いて、電流ループ回路を構成している。
【０００５】
【特許文献１】
特開２００２−２１３８０３
【０００６】
【特許文献２】
特公平４−３０３５１６号公報
【０００７】
【発明が解決しようとする課題】
一般的に云って、空気調和機において快適性の向上や省エネ化は大きなテーマである。使用者が空気調和機を操作した後に如何に素早く使用者の欲する運転状態に調整できるかが快適さの目安の一つであり、これを実現するためには室内機からの運転指令を素早く室外機に伝え、冷媒圧縮用圧縮機や送風機をその時の空調環境条件に対し適切な状態で運転させる必要がある。
【０００８】
また、省エネに対しても、室温や外気温などの空調環境条件に対し最適な状態で室内機及び室外機をきめ細かく制御する必要があり、空気調和機の運転により刻一刻と変化する室温に対し、素早く最適な運転状態に自動調整し、無駄な電力の消費を抑える必要がある。このように、セパレートタイプの空気調和機においては、快適性の向上及び省エネ化を実現するために、室内機と室外機間の通信速度を向上させることが求められている。
【０００９】
また、近年における家電ネットワーク化を初めとする追加機能の増加は制御を高度化及び複雑化させ、制御に用いるパラメータも増加し、室内機と室外機間のシリアル通信データ量も大幅に増加する傾向にあるので、より一層の室内外の通信速度の高速化が望まれている。
【００１０】
しかしながら、上述した引用文献においては、データ送信用及び受信用の素子にフォトカプラを使用しているため高速化は不向きであった。すなわち、フォトカプラは半導体素子の中でも比較的伝達遅れ（遅延時間）が大きいことが知られている。低価格な一般的なフォトカプラの場合数μｓｅｃ〜十数μｓｅｃの伝達遅れを持ち、安定して動作させるためにはこの伝達遅れを考慮し、充分なオン、とオフの時間を確保する必要がある。この伝達遅れが影響して比較的低い周波数で動作させざるを得ず通信速度に限界を持つこととなっている。
【００１１】
また、フォトカプラを高速タイプにして或る程度の通信速度の改善も可能ではあるが、コストアップになる上、フォトカプラの性質上通信信号は高調波を多く含む電流矩形波信号であるので、フォトカプラ間を接続する室内外間のケーブルがアンテナ機能を果たして放射ノイズを放出するおそれが多分にある。
【００１２】
また、フォトカプラを駆動させるためには一般的に発光側入力に５ｍＡ〜１５ｍＡ程度の駆動電流を流す必要があり、この駆動電流を得るために商用電源を整流しコンデンサで平滑した後、ツェナーダイオードと抵抗器で定電圧化する専用電源を必要とするので、部品点数の増加、及び省電力化の阻害要因にもなっている。更に、フォトカプラは定格電流及び定格電圧が比較的低い半導体素子であり、室内機と室外機との接続ケーブルの誤接続に対する保護回路が必要性なことから、回路の複雑化と部品点数の増加の要因にもなる。
【００１３】
本発明の目的は、室内機と室外機との通信の高速化を図るとともに、通信による放射ノイズの抑制化を図る空気調和機の通信装置を提供することにある。
【００１４】
【課題を解決するための手段】
前記課題を解決するために、本発明は主として次のような構成を採用する。
ＡＣ電源端子、室内送風機、マイコンを含む制御系手段（図１のマイコン７の外に、復調回路９、変調用ドライバ１２を含む）、温度検出手段、ＡＣ−ＤＣコンバータ、を有する室内機と、室外送風機、冷媒圧縮機、マイコンを含む制御系手段、温度検出手段、ＡＣ−ＤＣコンバータ、を有する室外機と、を具備するセパレートタイプの空気調和機であって、
前記室内機と前記室外機の間に、前記ＡＣ電源を供給する２本の接続ケーブルと通信用の１本の通信ケーブルを設け、
前記２本の接続ケーブルの内の１つの接続ケーブルと前記通信ケーブルとに一次側巻き線の両端を接続した高周波トランスを前記室内機と前記室外機にそれぞれ設ける構成とする。
【００１５】
また、前記空気調和機の通信制御装置において、前記高周波トランスの一次側巻き線に並列にコンデンサを接続して並列共振回路を形成し、前記通信ケーブルに流れる交番信号を正弦波に近い正弦波状波形とする構成とする。
【００１６】
また、前記空気調和機の通信制御装置において、前記高周波トランスの二次側巻き線側を前記制御系手段に接続し、
前記制御系手段からの信号を前記並列共振回路によって前記正弦波状波形に変換し前記通信ケーブルを通して前記室内機から前記室外機へ運転指令として送信し、
前記室外機は、前記室外機の運転情報と前記室外機の温度検出手段からの情報と前記室外機の故障情報とを含む室外機情報を送信し、
前記室内機は、前記室外機から前記室外機情報を受信し、使用者の操作情報と前記室内機の温度検出手段からの情報を用いて運転状態を決定する構成とする。
【００１７】
このような構成を採用することによって、室内機と室外機との通信の高速化と通信による放射ノイズの抑制化を図ることができる。
【００１８】
【発明実施の形態】
本発明の実施形態に係る空気調和機の通信制御装置について、図面を参照しながら以下詳細に説明する。図１は本発明の実施形態に係る空気調和機の通信制御装置の全体構成を示す図である。
【００１９】
図１において、１は室内機、６は商用電源から室内機１のマイコン等の制御系を動作させるために必要な電圧を発生させるためのＡＣ−ＤＣコンバータ、７はマイコン、８は室内送風機を駆動するための電源及び駆動回路、９は室外機からの通信信号の復調回路、１０はリンギングの防止と通信信号のキャリア振幅を調整するための並列抵抗器、１１は受信のためのカップリングコンデンサ、１２は変調のためのドライバ、１３は高周波トランスのドライブ電流の制限用抵抗器、１４は通信信号送受信のための高周波トランス、１５は高周波トランスの一次側巻き線のインダクタンスと並列共振回路を構成するコンデンサ、１６は誤接続保護用コンデンサ、１７はリンギング防止用直列抵抗器、１８は温度検出回路、１９は室内送風機のモータ、２０はサージ吸収用のバリスタ、をそれぞれ表し、これらの構成要素で室内機を構成する。
【００２０】
ここで、商用電源側に接続された高周波トランス１４の巻き線側を一次側とし、制御信号側に接続された高周波トランス１４の巻き線側を二次側と称する。また、リンギングの機能乃至作用は図５の説明で後述する。
【００２１】
一方、２は室外機、２１は室外機の温度検出回路、２２は室内機からの通信信号の復調回路、２３は受信のためのカップリングコンデンサ、２４はリンギングの防止と通信信号のキャリア振幅を調整するための並列抵抗器、２５は通信信号送受信のための高周波トランス、２６は高周波トランスのドライブ電流の制限用抵抗器、２７は高周波トランスの一次側巻き線のインダクタンスと並列共振回路を構成するコンデンサ、２８はリンギング防止用直列抵抗器、２９は誤接続保護用コンデンサ、３０は変調のためのドライバ、３１はマイコン、３２は室外機のマイコン他制御回路を駆動するための電圧を発生するＡＣ−ＤＣコンバータ、３３は冷媒圧縮用圧縮機への電圧を供給するコンバータ及び駆動回路、３４は室外送風機用ドライブ回路、３５は室外送風機モータ、３６は冷媒圧縮用圧縮機のモータ、３７はサージ吸収用のバリスタ、をそれぞれ表し、これらの構成要素で室外機を構成する。さらに、３及び４は室外機への商用電源供給用内外接続ケーブルであり、５はシリアル通信用ケーブルである。
【００２２】
室内機１では、リモコンなどによる使用者の運転開始の操作を受けると、温度検出回路１８からの室内温度情報に、高周波トランス１４、カップリングコンデンサ１１及び復調回路９を介して抽出した室外機からの情報を加味して、マイコン７により総合的に運転モードを決定し、高周波のキャリア信号に乗せた送信信号を、ドライバ１２及び制限抵抗器１３を介して通信信号を高周波トランス１４の二次側巻き線に与え、コアを介して一次側に伝搬される。
【００２３】
この伝搬された信号は、高周波トランス１４の一次側巻き線のインダクタンスと並列に接続されたコンデンサ１５により構成される並列共振回路で、正弦波に近い高周波信号に整形され、シリアル通信用ケーブルに重畳されて室外機２へと転送される。
【００２４】
一方、室外機２は、室内外機の接続ケーブル３，４の一方を基準にシリアル通信用ケーブル５に重畳されて室内機１から送信されたシリアル通信信号を、高周波トランス２５の一次側巻き線で受け、コアを介して二次側巻き線に出力する。次に、カップリングコンデンサ２３を介して復調回路２２に入力され、高周波のキャリアを取り除き復調されて室外機２のマイコン３１に入力される。室外機マイコン３１は室内機１からのシリアル通信信号による指令を受け、冷媒圧縮用圧縮機３６及び室外送風機３５の運転条件を決定する。室外機２からの情報の送信も同様に室内機１に対し行われ、これらの情報送信を順次繰り返す。なお、室外機２の故障情報の室内機１への送信も同様に行われる。
【００２５】
次に、シリアル通信信号の変調及び復調について、図２と図３を参照しながら以下説明する。シリアル通信信号の室内機１から室外機２への送信について、使用者が空気調和機の設定温度を変更した場合を例にして説明する。図２は本実施形態に関する室内機の変調回路及び復調回路の具体的構成を示す図であり、図３は図２の各点における波形を示す図である。
【００２６】
使用者のリモコンなどの操作を受け、その内容を解析し、冷媒圧縮用圧縮機３６や室外送風機３５などの各種室外機の回転数指令を算出し、室外機２に変更内容を送信する。送信データは図３の送信データに示すように、例えば１フレーム８ビットとした場合、先頭にスタートビットＳＴを出力した後、データ列Ｄ０〜Ｄ７を出力し、最後にストップビットＳＰを付加して一連の送信データ列に変換する。図２に示すマイコン７の送信出力からは、図３に示すＡ点電圧のような高周波のキャリア周波数を含んだ矩形信号が出力される。マイコン７では二値信号を取り扱うので、図３のＡ点電圧のような矩形信号となる。ここでは、各ビット（Ｄ０〜Ｄ７のいずれかのビット）での矩形波の繰り返し信号をキャリアと称する。
【００２７】
マイコン送信出力（Ａ点電圧）で図２に示す変調用ドライバ１２を駆動し、高周波トランス１４の２次側巻き線に高周波電流を流す。高周波トランス１４はコアを介して一次側巻き線に出力するが、一次側巻き線のインダクタンスに並列に接続されたコンデンサ１５との並列共振回路により、キャリア周波数を選択的に伝達するフィルタを形成して平滑するので、図３のＣ点電圧のような正弦波に近い滑らかな交流信号に成形され、図２に示すシリアル通信用ケーブル５を介して室外機２に送信される。
【００２８】
また、この送信信号は、室外機２にも同様に搭載された高周波トランス２５の充分に大きいインダクタンスにより、高周波インピーダンスが与えられるため減衰することは防止できる。なお、図２と図３の構成例はデータ列と高周波の送信キャリアを予め合成した形でマイコン送信ポートから出力させた例であるが、マイコンの性能の制約から上述の出力が取れない場合は、マイコン７外部に発振回路を設けてＯＲ回路によりデータ列と高周波のキャリアを合成した後、高周波トランス１４を駆動しても同様の効果が得られる。
【００２９】
次に、室外機２からのシリアル通信信号の受信方法について説明する。上述と同様な方法で室外機２から送信されるシリアル通信信号を、図２のシリアル通信用ケーブル５を介し、図３の受信時のＣ点電圧のような波形で受信する。Ｃ点の信号は図２の高周波トランス１４の一次側巻き線に入力され、高周波トランス１４のコアを介して２次側巻き線に出力され、図２に示すカップリングコンデンサ１１を介して図３の受信時におけるＤ点電圧のように、所定のバイアス電圧に重畳され、復調回路９に入力される。
【００３０】
Ｄ点電圧の信号はコンパレータを使用した比較回路９−ａで上記のバイアス電圧に等しい比較電圧と比較され、図３の受信時におけるＤ点電圧の比較電圧を上回る電圧の区間のみ出力を反転させる。この時点の出力信号は高周波のキャリア成分を含んでいるため、図２の復調回路９に備えられた抵抗ＲとコンデンサＣで平滑され、高周波成分を除去された後、バッファ９−ｂを介し、図３の受信時におけるＥ点電圧のようなデータ列として復調される。室外機２における送受信の方法についても同様であり交互に送受信を繰り返す。
【００３１】
次に、シリアル通信信号の高周波キャリアを正弦波に近付ける形態を図４を用いて説明する。上述したように、マイコン７から出力される高周波の矩形信号を、高周波トランス１４の一次側巻き線のインダクタンスに並列に接続されたコンデンサ１５との並列共振回路によって、キャリア周波数を選択的に伝達するフィルタを形成し平滑して正弦波に近付ける。
【００３２】
図４に、高周波トランスの一次と二次巻き線のインダクタンスを０．５ｍＨ、誤接続防止用コンデンサ１６の静電容量を０．０１μＦ、リンギング防止用抵抗器１７を２０Ωとし、並列共振コンデンサ１５の静電容量のみ変更した場合の、シリアル通信用ケーブル５に重畳される電圧波形を示す。本構成例の場合、キャリア周波数を３０ｋＨｚとしたが、共振コンデンサを０．０１μＦ（ｆ０＝約７０ｋＨｚ）〜０．０３３μＦ（ｆ０＝約４０ｋＨｚ）〜０．０４７μ（ｆ０＝約３０ｋＨｚ）変化させた場合、キャリア周波数と並列共振回路の共振周波数が近い程、より正弦波に近い滑らかな波形となった。
【００３３】
次に、リンギング防止用抵抗１７，２８の機能乃至作用について説明する。図２に示す室内外機接続ケーブル４及びシリアル通信用ケーブル５の配線が長い場合、インダクタンス成分によりリンギングを起こす可能性が有る。そこで、図５に示すように、リンギング防止用直列抵抗器１７，２８を追加することにより、ノイズ源となり得るリンギングを防止することが可能である。図５にはリンギング防止用抵抗器が無しの場合と追加した場合の通信用信号波形の比較を示している。なお、リンギング防止用抵抗は室内外機の一方に設けても同様にリンギング防止の機能を奏することができる。
【００３４】
また、本発明の実施形態においては、図１の誤接続保護用コンデンサ１６，２９によりケーブル接続時における保護を行う。ケーブル５をケーブル３に誤接続したときの解決策である誤接続防止用コンデンサ１６，２９は誤接続時に商用電源に耐えうる必要があるので、１００Ｖの製品であれば耐電圧ＡＣ１６０Ｖ、２００Ｖの製品であればＡＣ２５０Ｖの耐圧が必要となるが、これらはフィルムコンデンサとして安価に入手可能である。更に、本実施形態では、図１に示す回路構成で符号２０及び３７の回路位置にバリスタを接続し、商用電源から流入するサージ電圧を吸収する。
【００３５】
敷衍して述べると、本発明の実施形態は次のような構成、機能乃至作用を奏することを特徴とするものである。即ち、本実施形態は、室内機１と室外機２に対して、商用電源を供給する２本のケーブル３，４と１本のシリアル通信用ケーブル５を接続し、室外機に商用電源を供給するケーブルの内の１本のケーブル４とシリアル通信用ケーブル５を両端に接続した一次側インダクタンスを有する高周波トランス１４，２５を設ける。また、高周波の信号をキャリアとしたシリアル通信信号の送受信を行うために、高周波トランス１４，２５の一次側のインダクタンスに並列にコンデンサ１５，２７を接続し、キャリア周波数を選択的に伝達するフィルタを形成することによって通信信号のキャリアを正弦波に近づけて滑らかにし、更に、直列抵抗器１７，２８を追加することにより、ケーブルのインダクタンス成分の影響で発生する不要なリンギングを抑えることにより放射ノイズなどのノイズの発生量を抑制する。
【００３６】
また、高周波トランスの一次巻き線の巻数Ｎ１と二次巻き線の巻数Ｎ２の巻数比をＮ１／Ｎ２（Ｎ１＜Ｎ２）として、キャリア振幅を任意に調整し、雑音端子電圧などのノイズを低く抑える（この機能乃至作用については後述する）。更に、高周波トランスの一次側に直列に商用電源の電圧に耐え得るコンデンサ１６，２９を接続し、単純な回路構成でも誤接続に対する保護性能を持たせ、また、商用電源から流入する電圧サージをバリスタ２０，３７で吸収する。
【００３７】
このような構成を採用することによって、セパレートタイプの空気調和機の室内外機のシリアル通信手段は、シリアル通信ケーブルへの信号の重畳（送信）、及びシリアル信号ケーブルからの信号の抽出（受信）に、フォトカプラなどの比較的信号の伝達遅れの大きい半導体素子を使用せず、一次二次間の絶縁された高周波トランスを使用するため、マイコン側制御電位と商用電源に一端を接続されたシリアル通信ケーブル側の電位を絶縁するための専用の部品を追加する必要がなく、また、信号の伝達遅れを考慮する必要が無いので、容易にかつ部品点数が少なく単純な回路構成で室内機、室外機外間のシリアル通信装置が実現可能である。更に、一次二次間に高耐電圧性能を有する高周波トランスを使用することによって、商用電源と接続された一次側電位と低電圧である制御回路の二次側電位を絶縁させることができる。
【００３８】
また、シリアル通信用ケーブル側に接続された高周波トランスの一次巻き線のインダクタンスに並列にコンデンサを接続し、並列共振回路とすることにより、キャリア周波数を選択的に伝達するフィルタを形成して、シリアル通信信号のキャリアを正弦波に近づけ滑らかにすることにより高調波成分を抑制できるので、雑音端子電圧や放射ノイズなどのノイズの発生を抑制することが可能である。また、一次巻き線の巻数Ｎ１と二次巻き線の巻数Ｎ２について、（Ｎ１＜Ｎ２）の関係としキャリア振幅を任意に調整することにより、雑音端子電圧などのノイズを低く抑えることも可能である。
【００３９】
ここで、空気調和機の室外機へのケーブル、特に高周波信号を扱う通信用ケーブルがアンテナの機能を果たして電波を放出し有害な雑音ノイズとなり得る。このような通信用ケーブルからの放射ノイズは家庭で使用される電気機器や電子機器に悪影響を及ぼすので低く抑えるように規制されている。そして、図３に示すＢ点電圧のような矩形波信号が通信用ケーブルを流れると、矩形波信号中の或る高次高調波成分が放射ノイズの発生源となり得るので、一次側巻き線にコンデンサ１５を接続して共振回路を構成し、図３のＣ点電圧に示すような正弦波に近い正弦波状波形を形成して高次高調波成分による放射ノイズをできるだけ無くするようにしている。さらに加えて、ケーブル５を流れる通信信号の振幅が大きいと放射ノイズはそれだけ大きくなり得るので、放射ノイズを無くする観点から通信信号の振幅をできるだけ小さくすることが求められる。このような観点で巻き線数をＮ１＜Ｎ２としている。
【００４０】
更に、本実施形態では通信回路専用の電源を持たないため部品点数の削減及び省電力に貢献でき、また、シリアル通信用ケーブル側に接続された高周波トランスの一次巻き線の、シリアル通信用ケーブルに接続される側の端子に直列に商用電源の電圧に絶え得る耐電圧性能を持つコンデンサを接続することにより、部品点数の極めて少ない単純回路構成でも、空気調和機の据付作業時にシリアル通信用ケーブルの接続作業時に、商用電源に接続された内外接続ケーブルをシリアル通信用ケーブルに誤接続しても破壊や故障を防止することができる。また、商用電源から流入する電圧サージをバリスタで吸収できるので通信回路の破壊を防止すると共に、シリアルアル通信信号への不要なノイズの流入を防止できる。
【００４１】
【発明の効果】
本発明によれば、単純な回路構成で高速の通信が実現可能であり、構成部品が少ないので省スペース化及び低価格化を図ることができる。更に、並列共振回路でキャリア信号を正弦波に近い滑らかな波形にできるため、放射ノイズの抑制に対し顕著な効果が得られる。また、フォトカプラ方式のような絶縁された別電源を必要とせず、高周波トランスにより信号を電圧できるので省電力化を図ることができる。
【図面の簡単な説明】
【図１】本発明の実施形態に係る空気調和機の通信制御装置の全体構成を示す図である。
【図２】本実施形態に関する室内機の変調回路及び復調回路の具体的構成を示す図である。
【図３】図２の各点における波形を示す図である。
【図４】本実施形態で使用するシリアル通信信号の高周波キャリアを正弦波に近付ける形態を示す図である。
【図５】本実施形態で使用するリンギング防止用直列抵抗の有無の場合における通信用信号波形の比較図である。
【符号の説明】
１  室内機
２  室外機
３  室内外機間接続ケーブル
４  室内外機間接続ケーブル
５  シリアル通信用ケーブル
６  ＡＣ−ＤＣコンバータ
７  マイコン
８  室内送風機駆動用電源及び駆動回路
９  復調回路
１０  並列抵抗器
１１  カップリングコンデンサ
１２  変調用ドライバ
１３  電流制限用抵抗器
１４  高周波トランス
１５  並列共振コンデンサ
１６  誤接続保護用コンデンサ
１７  リンギング防止用直列抵抗器
１８  温度検出回路
１９  室内送風機用モータ
２０  バリスタ
２１  室外機の温度検出回路
２２  復調回路
２３  カップリングコンデンサ
２４  並列抵抗器
２５  高周波トランス
２６  電流制限用抵抗器
２７  並列共振コンデンサ
２８  リンギング防止用直列抵抗器
２９  誤接続保護用コンデンサ
３０  変調用ドライバ
３１  マイコン
３２  ＡＣ−ＤＣコンバータ
３３  冷媒圧縮用圧縮機用コンバータ及び駆動回路
３４  室外送風機用ドライブ回路
３５  室外送風機用モータ
３６  冷媒圧縮用圧縮機用モータ
３６  バリスタ
９−ａ  コンパレータ電圧比較回路
９−ｂ  バッファ回路
【図１】
2004347261.tif 000003
【図２】
2004347261.tif 000004
【図３】
2004347261.tif 000005
【図４】
2004347261.tif 000006
【図５】
2004347261.tif 000007